(57)【要約】【課題】花留め器具の基材として、剣山、スポンジあるいは竹等の素材を格子状に織ったものがよく使用されている。しかし剣山は、金属ほか花茎、枝よりも硬度の高い物質にて花茎、枝の切り口を破壊しながら係止させるので、花留め自体に損傷が起こる。また、スポンジ等は、繰り返し使用により再利用ができなくなる問題がある。さらに、花枝を抜いた際にスポンジ屑が花枝自体や周囲を汚したり、婚礼装飾、葬祭装飾などの業務において花店が大量に吸水性スポンジを利用する場合、膨大な量の産業廃棄物が発生し、また廃棄物処理費用等経費的にも問題がある。【解決手段】吸水性及び弾性を有する繊維状物質からなる紐を等間隔、且つ並列に配置固定した複数個の紐固定プレートを作製し、複数個の紐固定プレートを紐の方向をクロスするように積み重ねる。この積層体を貯水容器に挿入セットし、貯水容器に水を入れ紐固定プレートの紐の隙間に花卉を生けることを特徴とした花枝留め器具とした。【選択図】図２
2010005244.tif 000002
【特許請求の範囲】
【請求項１】
上部に空隙を有し水を貯水可能な貯水容器と貯水容器に収容可能な大きさの枠に、吸水性及び弾性を有する繊維状物質からなる紐を等間隔、且つ並列に配置固定した複数個の紐固定プレートからなり、複数個の紐固定プレートの少なくとも１個の紐固定プレートの紐の配置が他の紐固定プレートとクロスする方向で積層された状態で貯水容器に挿入セットされ、紐固定プレートの紐の隙間に花卉を生けることを特徴とした花枝留め器具
【発明の詳細な説明】
【技術分野】
【０００１】
本発明は、多数回の使用に耐えられる吸水性花留めに関するものである。
【背景技術】
【０００２】
花留め器具としては、古くから剣山が使用されているが、近年では文献１や文献２のように、柔軟材料であるスポンジに挿したり、あるいは文献３のように竹等の素材を格子状に織り、その格子の下部に貯水容器等をセットして花を生けたりすることが行われている。
【特許文献１】特開平０７−３２７７９９号
【特許文献２】特開２０００−２１０７１号
【特許文献３】実開平０６−２４５７０号
【発明の開示】
【発明が解決しようとする課題】
【０００３】
しかし剣山は、多数回の使用に耐える利点はあるものの金属ほか花茎、枝よりも硬度の高い物質にて花茎、枝の切り口を破壊しながら係止させるので、花留め自体に損傷が起こる。導水管を傷付けることにより花持ちも良くない。又、花の器自体の底面に置くという性格上、一旦花の位置を決めたら花茎の長さについて正確な長さに切らなければならないという欠点があり、面状体にて係止させるという性格上、係止可能な角度の制約もあった。
【０００４】
また、スポンジ等の柔軟性の多孔状材料は、フラワーアレンジメントほか３次元的に係止点を選択できること、また吸水、離水性にも優れており、使用後乾燥させれば再び軽量になること、さらに使い捨てが可能という利点はあるものの、花茎、枝により花留め自体の材料を破壊させながら係止させるという性格上、次第に花留めとしての機能が低下してくる。従って繰り返し使用により再利用ができなくなる問題がある。また、吸水に際してスポンジ自身より深い水桶を用意し、水面に静かにおいて全体が沈むまで待たなければならないという時間的デメリットもある。さらに、花枝を抜いた際にスポンジ屑が花枝自体や周囲を汚してしまったり、婚礼装飾、葬祭装飾などの業務において花店が大量に吸水性スポンジを利用する場合、膨大な量の産業廃棄物が発生し、また廃棄物処理費用等経費的にも問題があった。
【０００５】
また、竹籠などの格子状花刺しを用いる場合は、花留めの作製に手間や費用を要し、また花を挿す方向や位置等に制約が出てくる。また大きさもある程度大きくならざるを得ない。
【０００６】
本発明は、このような従来の花留めが有していた問題点を解決しようとするものであり、繰返し利用が可能であり、花を挿す方向も自在で、かつ素材自体も吸水性を併せ持つという花留めを提供することを目的とする。
【課題を解決するための手段】
【０００７】
本発明の花留めは、吸水性及び弾性を有する繊維状物質からなる紐を等間隔、且つ並列に配置固定した複数個の紐固定プレートからなり、複数個の紐固定プレートの少なくとも１個の紐固定プレートの紐の配置が他の紐固定プレートとクロスする方向で積層し、この積層体を貯水容器に挿入セットし、貯水容器に水を入れ、紐固定プレートの紐の隙間に花卉を生けることを特徴とした花枝留め器具である。本発明は、枠に吸水性と弾性を有する物質を並列に架け渡し、積層状にそれぞれ異なる角度で配置、固定することにより、複数回の使用に耐えることを最も主要な特徴とする。ここで使用する吸水性及び弾性を有する繊維状物質からなる紐とは、ナイロン系糸やスパンデックス等に代表されるポリウレタン系糸を芯糸とし、これに吸水性を付与した紐を使用する。吸水性の付与方法としては、弾性糸に綿糸等を巻きつけたり、弾性糸を織物状にしたり、弾性糸をポーラス状にする等がある。このような糸は、靴下の口ゴムの他、パンスト、タイツ、手袋、背広、Gパン、セーター等に実用化されているものである。なお、単一のプレートに紐を並列でなく、クロス状に架け渡し、このプレートを複数積み重ねて使用することも当然可能である。また、プレートの作成に使用する枠は、四角形、丸形を通常使用するが、三角形、五角形など多角形の枠も使用可能である。複数のプレートをそれぞれ異なる角度、形態で積み重ねていき、紐をクロスするようにするが、プレートに配置・固定する紐については、下に積層するプレートほど紐と紐間の間隔を空けて、また張力を弱めていくことにより、よりスムーズな花枝、茎の挿入を可能にし、しっかりと固定することができる。また、紐と紐の隙間や張力の調整は花枝の種類によって適宜変更可能である。またこのようにすることで、花茎、枝を折ったり、押しつぶしてしまわないようにできる。婚礼装飾（メインテーブル）や葬祭装飾（祭壇）、また卓上花や供花など規格がある程度統一されている設置場所については、一度設置すればそのまま次回使用できる。
【発明の効果】
【０００８】
本発明の花留めは、吸水性材料で弾性を有する繊維状材料で構成されているので、多数回の使用に耐えることができ、３次元的に花茎、枝等を係止させることが可能で、吸水性も併せ持つため花持ちも良好である。また、使用後花枝を抜き取る際にも破片などで周囲や花枝自体を汚さないという利点がある。そのほかに洗浄したい場合にも水中で揺すり洗いをすれば花茎、枝の屑を取り除くことも可能であり、使用しなくなった場合でも分別、廃棄が簡便である。
【発明を実施するための最良の形態】
【０００９】
直方体の紐固定プレートを用いた花留め具の作製方法を図に基づいて説明する。直方形の樹脂枠３を準備する。枠の材料は、金属製でも木製でも可能である。枠の周囲に、紐の直径程度の間隔をもって孔７を作製する。作製した孔に、吸水性でかつ弾性を有する紐２をテニスのラケットにガットを張る要領で紐を並列に一定方向に巻いていく。次に紐の張る方向を４５度変更して並列に一定方向に巻いていく。次々に角度を変えて同じ要領で紐付きプレートを作製する。なお、四角形が正方形の場合は、紐の角度を９０度変更する代わりにプレートを９０度回転して積み重ねることも可能である。積み重ねた紐付きプレートを貯水容器にセットする。自在に花卉の角度を選択して花を生けることができる。
【実施例１】
【００１０】
花留めの貯水容器の形状によっては、プレートの形状を円形にすることも可能である。この場合、円形の枠４を使用し、枠に紐の直径（生ける花によっては直径以上）程度の間隔をおいて孔７を作製する。枠に紐を並列に一定方向に巻いていく。円形プレートの場合、紐を巻く方向は同じでよい。プレートを積み重ねる角度を自在に選択ができるからである。生ける花によってプレートの円周方向の角度変更は９０度、４５度以外に適時選択が可能である。
【産業上の利用可能性】
【００１１】
花留めの持つ係止力を、部材の材質、張度を変えることで自在に変化させることが可能であるので、造花やのぼり等、同様に異なった角度で挿入、係止を求められるような用途にも適用できる。
【図面の簡単な説明】
【００１２】
【図１】３枚の四角形プレートとその積み重ね図
【図２】３枚の丸形プレートとその積み重ね図
【図３】四角形プレートに使用する枠
【図４】円形プレートに使用する枠
【図５】角型花留めに花を生けた状態図
【図６】円筒型花留めに花を生けた状態図
【符号の説明】
【００１３】
１    プレート
２    紐
３    四角形枠
４    円形枠
５    貯水容器
６    花台脚
７    孔
【図１】
2010005244.tif 000003
【図２】
2010005244.tif 000004
【図３】
2010005244.tif 000005
【図４】
2010005244.tif 000006
【図５】
2010005244.tif 000007
【図６】
2010005244.tif 000008